(57)【要約】      （修正有）【課題】病人の両手における筋肉萎縮及び関節拘縮状況の発生を予防できる手の平握りパッドを提供する。【解決手段】手の平握りパッドは、パッド体１０両面に形成する手の平に密着する平坦面１１、複数の手指がホールドできる弧状凸面１２、パッド体１０上の手指から離れた位置に設置する固定ベルト２０を備え、手の平、手の甲とパッド体１０とをひとまとめに定位する。しかもパッド体１０上の手指の根元に近い位置には複数の束緊ベルト３０を設置し、束緊ベルト３０上には第一粘着固定部品４１を設置し、しかも束緊ベルト３０は隣り合う２本の手指の根元の間から、手の甲位置へと伸び、第一粘着固定部品４１により、手の甲上の固定ベルト２０表面に粘着し、このようにして平坦面１１は手指と手の平の間で弾性サポートする。【選択図】図１
0003176426.tif 000002
【実用新案登録請求の範囲】
【請求項１】
手の平握りパッドは、パッド体、固定ベルト、複数の束緊ベルトを備え、
前記パッド体は、弾性緩衝材料外をカバーバッグにより包み、手の平に握ることができ、
前記固定ベルトは、前記パッド体上の手指から離れた位置に設置し、手の平、手の甲とパッド体とをひとまとめにし、前記パッド体を定位することができ、
前記複数の束緊ベルトは、前記パッド体上の手指の根元に近い位置に、それぞれ設置し、前記束緊ベルト上には、第一粘着固定部品を設置し、しかも、前記束緊ベルトは、隣り合う２本の手指の根元の間から、手の甲位置へと伸び、前記第一粘着固定部品により、手の甲上の固定ベルト表面に粘着することができ、
こうして、前記パッド体は、手指と手の平の間で弾性サポートすることを特徴とする手の平握りパッド。
【請求項２】
前記パッド体両側面には、手の平を密着させることができる平坦面、複数の手指をホールドすることができる弧状凸面をそれぞれ形成することを特徴とする請求項１に記載の手の平握りパッド。
【請求項３】
前記束緊ベルト両側表面には、辺布を設置し、しかも前記パッド体の弾性緩衝材料は、前記束緊ベルトの位置に対応して、挟持緩衝部を延伸し、前記束緊ベルト内に通して嵌め、これにより、前記束緊ベルトが、隣り合う２本の手指の根元の間を通過する時、前記挟持緩衝部により、病人の手指を開かせて伸ばすことができることを特徴とする請求項１に記載の手の平握りパッド。
【請求項４】
前記弾性緩衝材は、スポンジ、或いはウレタンフォームであることを特徴とする請求項１〜３に記載の手の平握りパッド。
【請求項５】
前記カバーバッグは、弾性繊維ファブリックで製造することを特徴とする請求項１に記載の手の平握りパッド。
【請求項６】
前記弧状凸面外のカバーバッグ上には、第二粘着固定部品を設置し、
前記固定ベルトが前記パッド体を取り巻く時、前記第二粘着固定部品上に付着することを特徴とする請求項２に記載の手の平握りパッド。
【請求項７】
前記固定ベルト上には、第三粘着固定部品を設置し、
前記固定ベルトが前記パッド体を取り巻くと、前記第三粘着固定部品により、前記カバーバッグ、或いは前記固定ベルト上に付着することを特徴とする請求項６に記載の手の平握りパッド。
【請求項８】
前記第一、第二、第三粘着固定部品は、マジックテープ（登録商標）であることを特徴とする請求項７に記載の手の平握りパッド。
【請求項９】
前記束緊ベルトは、弾性繊維ファブリックを採用して製造し、しかも前記パッド体外のカバーバッグ上の、隣り合った２本の手指の根元の間にそれぞれ設置することを特徴とする請求項１に記載の手の平握りパッド。
【考案の詳細な説明】
【技術分野】
【０００１】
本考案は手の平握りパッドに関し、手の平に握ることができ、手指と手の平との間を弾力サポートする握りパッドで、パッド体、及びパッド体の固定ベルトと束緊ベルトにより構成する手の平握りパッドに関する。
【背景技術】
【０００２】
昏睡状態、脳卒中、ガン、或いは植物状態にある病人などは、長期間床に臥せっているため、身体を動かさないことで、体重減少、骨格及び筋肉萎縮、骨粗しょう症などの生理学的な変化が現れる。特に、手の平と手指は、長期間緩み、自然に丸まっている状態であるため、筋肉萎縮と関節拘縮が特に起き易い。
【０００３】
長期間寝たきりの病人の手の平と手指の筋肉萎縮と関節拘縮の状況の悪化を防ぐため、看護者は一般に、病人の手の平と手指を繰り返し揉み、開き、伸ばす。これにより、病人の手の平と手指の筋肉と関節を、適時に伸展させ、病人の手の平と手指の筋肉萎縮と関節拘縮などの状況の改善を目指す。
【０００４】
病人の手の平と手指の筋肉及び関節は、看護者が繰り返し揉み、開き、伸ばすことで、適時に伸展させられるが、他の大部分の時間は、自然に緩み、丸まっている状態にある。  そのため、看護者が人力により素手で、病人の両手をマッサージし、筋肉と関節の萎縮を予防しようとしても、その効果には限界がある。本考案は、従来の筋肉と関節の萎縮予防方法の上記した欠点に鑑みてなされたものである。
【考案の概要】
【考案が解決しようとする課題】
【０００５】
本考案が解決しようとする課題は、手の平に握ることができ、弾性サポートにより、手の平と手指とに伸展状態を形成させる握りパッドで、筋肉と関節の萎縮を予防するために行われる、人力による素手での病人の両手マッサージには効果において限界があった従来の方法の問題を解決することができる手の平握りパッドを提供することである。
【課題を解決するための手段】
【０００６】
上記課題を解決するため、本考案は下記の手の平握りパッドを提供する。
手の平握りパッドは、パッド体、固定ベルト、複数の束緊ベルトを備え、
該パッド体は、弾性緩衝材料外をカバーバッグにより包み、手の平に握ることができ、該固定ベルトは、該パッド体上の手指から離れた位置に設置し、手の平、手の甲とパッド体とをひとまとめにし、該パッド体を定位することができ、
該複数の束緊ベルトは、該パッド体上の手指の根元に近い位置に、それぞれ設置し、該束緊ベルト上には、第一粘着固定部品を設置し、しかも該束緊ベルトは、隣り合う２本の手指の根元の間から、手の甲位置へと伸び、該第一粘着固定部品により、手の甲上の固定ベルト表面に粘着することができ、
こうして、該平坦面は、手指と手の平を弾性サポートし伸展状態とすることができ、
使用時には、該パッド体を、手の平中に握り、該固定ベルトを手の平、手指とパッド体上に巻きつけ、同時に、該束緊ベルトを伸ばし、手指の指の隙間をそれぞれ通過させ、こうして該束緊ベルトに、隣り合った２本の手指の根元の間を巡らせ、手の甲位置へと伸ばし、しかも該各束緊ベルトの第一粘着固定部品は、手の甲上の固定ベルト表面にそれぞれ粘着し、これにより該パッド体は、手の平中に定位され、手指と手の平との間で弾性サポートし、
以上により、手の平と手指に筋肉萎縮と関節拘縮が発生する状況を予防でき、また、手指と手の平とが受ける外界の衝撃力を緩和し、しかも平均に分散することができ、適当な防護効果を提供し、使用の利便性を高めることができ、
上記した主要構造に基づき、該パッド体両側面には、手の平を密着させることができる平坦面、複数の手指をホールドすることができる弧状凸面をそれぞれ形成し、該平坦面は、手指と手の平とを弾性サポートし、伸展状態とすることができ、該弧状凸面は手指に沿ってホールドし、しかも該弧状面中央部位は、手指において突出し、手指への物の衝突を防止することができ、
上記した主要構造に基づき、該弾性緩衝材は、スポンジ、或いはウレタンフォーム(いわゆる形状記憶スポンジ)で、優れた緩衝とサポート作用を提供でき、
主要構造により、該束緊ベルトは、弾性緩衝繊維ファブリックを採用して製造し、通風と散熱効果を備えるため、人体に快適な触感を提供することができ、
主要構造により、該弧状凸面外のカバーバッグ上には、第二粘着固定部品を設置し、該固定ベルトが該パッド体を取り巻くと、該第二粘着固定部品上に付着し、該固定ベルトは手の平上に該パッドを安定的に定位し、
主要構造により、該固定ベルトは、弾性繊維ファブリックを採用して製造し、しかも該パッド体外側に設置し、調整性能は高く、しかも通風と散熱効果を兼ね備えているため、人体に快適な触感を提供することができ、
主要構造により、該固定ベルト上には、第三粘着固定部品を設置し、該固定ベルトが該パッド体を取り巻くと、該第三粘着固定部品により、該カバーバッグ、或いは該固定ベルト上に付着し、該固定ベルトは手の平上に該パッドを安定的に定位し、
主要構造により、該粘着固定部品は、マジックテープ（登録商標）で、該カバーバッグ、或いは該固定ベルトに粘着するのに便利で、
主要構造により、該束緊ベルトは弾性繊維ファブリックを採用して製造し、しかも該パッド外のカバーバッグ上の隣り合う２本の手指の根元の間にそれぞれ設置し、調整性能は高く、しかも通風と散熱効果を兼ね備えているため、人体に快適な触感を提供することができ、
従来の技術に比べ、本考案は以下の長所を備える、
１．長時間、パッド体により手指と手の平との間を弾性サポートするため、手の平と手指の筋肉萎縮と関節拘縮の発生を予防することができる。
２．固定ベルトと束緊ベルトにより巻き付け、パッド体を手の平に緊密に固定するため、安定性が高く、着脱が迅速簡単に行え、しかも外れにくく、使用において非常に便利である。
３．パッド体の平坦面は手の平に容易に密着し、しかも弧状凸面は手指に沿ってホールドし易いため、手の平と手指は適度な伸展状態を維持することができる。
４．手指を弧状凸面周辺に掛けることができるため、弧状面中央部位は、手指において突出し、手指への外物の衝突を防止することができる。
５．カバーバッグ、固定ベルト、束緊ベルトは、通風と散熱効果を備えるため、使用時の快適性を高めることができる。
【考案の効果】
【０００７】
本考案の手の平握りパッドは、手の平に握ることができ、弾性サポートにより、手の平と手指とに伸展状態を形成させる握りパッドで、筋肉と関節の萎縮を予防するために行われる、人力による素手での病人の両手マッサージには効果において限界があった従来の方法の問題を解決することができる。
【図面の簡単な説明】
【０００８】
【図１】本考案実施例の立体図である。
【図２】図１に示す実施例の前視図である。
【図３】図２の後側視図である。
【図４】図３の使用状態を示す側視図である。
【図５】図１の使用状態を示す立体図である。
【図６】図１の別種の使用状態を示す立体図である。
【考案を実施するための形態】
【０００９】
以下に図面を参照しながら本考案を実施するための最良の形態について詳細に説明する。図１は、本考案実施例の立体図で、図２は、図１に示す実施例の前視図で、図３は、図２の後側視図で、図４は、図３の使用状態を示す側視図で、図５は、図１の使用状態を示す立体図で、図６は、図１の別種の使用状態を示す立体図である。
【実施例】
【００１０】
図１〜６に示すように、本考案の手の平握りパッドは、パッド体１０、固定ベルト２０、複数の束緊ベルト３０を備える。
【００１１】
パッド体１０は、弾性緩衝材料を採用して製造し、病人が手の平６１に握ることができる。しかも、パッド体１０両側面には、平坦面１１、弧状凸面１２をそれぞれ形成する。平坦面１１には、手の平６１を密着させることができる。弧状凸面１２には、病人の複数の手指６３をホールドすることができる。
【００１２】
固定ベルト２０は、パッド体１０底端の、手指６３から離れた位置に設置し、病人の手の平６１、手の甲６２とパッド体１０とをひとまとめにし、パッド体１０を、病人の手の平６１内に定位することができる。
【００１３】
束緊ベルト３０は、４本とすることができ、パッド体１０頂点部の手指６３の根元に近い位置に、それぞれ設置する。しかも、束緊ベルト３０とパッド体１０とは、手の平形の輪郭に排列する。束緊ベルト３０末端には、第一粘着固定部品４１を設置する。しかも、束緊ベルト３０は、隣り合う２本の手指６３の根元の間から、手の甲６２位置へと伸び、第一粘着固定部品４１により、手の甲６２上の固定ベルト２０表面に粘着することができる。こうして、平坦面１１は、手指６３と手の平６１を弾性サポートし、伸展状態とすることができる。
【００１４】
上記の構造により、本考案の使用時には、パッド体１０を、病人の手の平６１中に置き、固定ベルト２０を、病人の手の平６１、手指６２とパッド体１０上に巻きつける。同時に、束緊ベルト３０を伸ばし、病人の手指６３の指の隙間をそれぞれ通過させ、こうして、束緊ベルト３０に、隣り合った２本の手指６３の根元の間を巡らせ、病人の手の甲６２位置へと伸ばす。しかも、各束緊ベルト３０の第一粘着固定部品４１は、手の甲６２上の固定ベルト２０表面にそれぞれ粘着し、これにより、パッド体１０は、病人の手の平６１中に定位される。しかも、病人の手の平６１は、平坦面１１上に密着し、これにより平坦面１１は、病人の手指６３と手の平６１を弾性サポートし、伸展状態とさせる。
【００１５】
こうして、パッド体１０により病人の手指６３と手の平６１との間を、長期間弾性サポートし、さらに適時パッド体１０を取り外し、病人の手指６３と手の平６１に対して繰り返し揉み、開き、伸ばす動作を行うことで、病人の手指６３と手の平６１の筋肉と関節は、適時に伸展される。こうして、病人の手指６３と手の平６１における、筋肉萎縮と関節拘縮の発生を、効果的に予防することができる。
【００１６】
一般的な使用状況下では、パッド体１０の弧状凸面１２は、病人の手指６３と手の平６１を適度に弾性サポートすることができる。これにより、手指６３と手の平６１の位置を高めることができ、こうして病人の手指６３と手の平６１位置は通気性が良くなり、圧迫感を減らすことができる。これにより、病人の手指６３と手の平６１が長期間圧迫を受け、褥瘡を生じることを防止することができる。
【００１７】
病人の手指６３が弧状凸面１２周辺をホールドしている時には、弧状凸面１２中央部位は、手指６３において突出する。よって、手指６３を外物の衝突による怪我から、効果的に保護することができ、また病人が手を平らに下ろしている時の硬質物体への衝突を回避することができる。
【００１８】
これにより、本考案はパッド体１０の平坦面１１設計を通して、手の平６１と手指６３に筋肉萎縮と関節拘縮が発生する状況を効果的に予防することができる。また、手指６３と手の平６１とが受ける外界の衝撃力を緩和し、しかも平均に分散することができ、適当な防護効果を提供することができる。しかも、パッド体１０は、固定ベルト２０と束緊ベルト３０の迅速な着脱により、使用において非常に便利である。こうして、筋肉と関節の萎縮を予防するために行われる、人力による素手での病人の両手マッサージには効果において限界があった従来の方法の問題を解決することができる。
【００１９】
以下に、本考案の他の実施方式について説明する。
実施時には、図１に示すように、束緊ベルト３０を、病人の手指６３の間の隙間にそれぞれ通す。病人の手指６３の間の隙間において、長期間、束緊ベルト３０と摩擦することで、皮膚の不快、或いは擦過傷が起きることを回避するため、実施時には、図１に示すように、束緊ベルト３０は、手指６３根元位置の両側表面に相対し平坦面１１を設置する。これにより、手指６３との間の摩擦を緩和する。また、束緊ベルト３０側辺は、柔らかい質感を持つ編布３１により構成することができる。
【００２０】
この実施例に対応し、該の弾性緩衝材は、スポンジ、或いはウレタンフォーム(いわゆる形状記憶スポンジ)である。よって、パッド体１０は、非常に柔軟で、しかも簡単に弾性伸展し、可塑性と調整性能も高いため、両手に、最適な緩衝とサポート作用を提供することができる。この他、パッド体１０内の弾性緩衝材料は、実施時には、病人の各手指６３の間の位置に対応して、ある程度の距離の延伸を行い、束緊ベルト３０内に通して嵌める。これにより、手指６３の指の隙間と相互に対応する挟持緩衝部１３を形成する。こうして、束緊ベルト３０が指の間を通過する時、編布３１により、束緊ベルト３０と手指６３との間の摩擦を緩和でき、同時に、挟持緩衝部１３により、病人の手指６３を開かせ、手指６３を伸ばすことができる。
【００２１】
実施時には、パッド体１０外を、弾性繊維ファブリックで製造するカバーバッグ５０で覆い包む。これにより、通風と散熱の効果を兼ね備え、人体に快適な触感を提供することができる。
【００２２】
実施時には、弧状凸面１２外のカバーバッグ５０上には、第二粘着固定部品４２を設置する。固定ベルト２０がパッド体１０を取り巻く時、第二粘着固定部品４２上に付着する。これにより、固定ベルト２０は、パッド１０を、手の平６１上に安定的に定位する。
【００２３】
実施時には、固定ベルト２０は、弾性繊維ファブリックを採用して製造し、しかも、パッド体１０外側のカバーバッグ５０上に設置する。よって、固定ベルト２０の調整性能は高く、しかも通風と散熱効果を兼ね備えているため、人体に快適な触感を提供することができる。
【００２４】
実施時には、固定ベルト２０上には、第三粘着固定部品４３を設置する。固定ベルト２０がパッド体１０を取り巻く時、第三粘着固定部品４３により、カバーバッグ５０、或いは固定ベルト２０上に付着することができる。これにより、固定ベルト２０は、パッド１０を、手の平６１上に安定的に定位する。
【００２５】
実施時には、第一、第二、第三粘着固定部品４１、４２、４３は、マジックテープ（登録商標）で、これによりカバーバッグ５０、或いは固定ベルト２０への付着に有利である。
【００２６】
実施時には、束緊ベルト３０は、弾性繊維ファブリックを採用して製造し、しかも束緊ベルト３０は、パッド体１０頂点外のカバーバッグ５０上、隣り合った２本の手指６３の根元の間にそれぞれ設置する。よって、束緊ベルト３０の調整性能は高く、しかも通風と散熱効果を兼ね備えているため、人体に快適な触感を提供することができる。
【００２７】
実施時には、束緊ベルト３０とカバーバッグ５０とは、一体に縫製して成型し、しかも固定ベルト２０は、束緊ベルト３０及びカバーバッグ５０と一体に縫製して成型することができる。こうして、加工のプロセスを節減することができる。
【００２８】
従来の技術に比べ、本考案は以下の長所を備える。
１．長時間、パッド体の平坦面により弾性サポートし、手指と手の平を伸展状態とすることができるため、手の平と手指の筋肉萎縮と関節拘縮の発生を予防することができる。
２．固定ベルトと束緊ベルトにより巻き付け、パッド体を手の平に緊密に固定するため、安定性が高く、着脱が迅速に行えかつ簡単で、しかも外れにくく、使用において非常に便利である。
３．パッド体の平坦面は手の平に容易に密着し、弧状凸面は手指に沿ってホールドし易いため、手の平と手指は適度な伸展状態を維持することができる。
４．手指を弧状凸面周辺に掛けることができるため、弧状面中央部位は、手指において突出する。これにより、手指への外物の衝突を防止することができる。
５．カバーバッグ、固定ベルト、束緊ベルトは、通風と散熱効果を備えるため、使用時の快適性を高めることができる。
【００２９】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【産業上の利用可能性】
【００３０】
本考案は実用新案登録の要件である新規性を備え、従来の同類製品に比べ十分な進歩を有し、実用性が高く、社会のニーズに合致しており、産業上の利用価値は非常に大きい。
【符号の説明】
【００３１】
１０  パッド体
１１  平坦面
１２  弧状凸面
１３  挟持緩衝部
２０  固定ベルト
３０  束緊ベルト
３１  編布
４１  第一粘着固定部品
４２  第二粘着固定部品
４３  第三粘着固定部品
５０  カバーバッグ
６１  手の平
６２  手の甲
６３  手指
【図１】
0003176426.tif 000003
【図２】
0003176426.tif 000004
【図３】
0003176426.tif 000005
【図４】
0003176426.tif 000006
【図５】
0003176426.tif 000007
【図６】
0003176426.tif 000008